(57)【特許請求の範囲】
【請求項１】
上部デッキボードの外周縁部上面に枠体を立設し、下部デッキボードの面積を上部デッキボードの面積よりも縮小することによってパレット同士を上下に積み重ねたとき、パレットの下部を下段パレットの前記枠体内にはめ込まれる嵌合部とした合成樹脂製パレットにおいて、下部デッキボードに補強リブを設けるとともに、パレットの外周面をなす支柱部の周壁内面には前記嵌合部の周壁内面よりもパレットの内側方向に突出する補強リブを設け、前記補強リブと下部デッキボードの補強リブとを連結したことを特徴とする合成樹脂製パレット。
【請求項２】
パレットの下部外周縁部に切欠部を設けることによって屈曲部を形成し、前記屈曲部の下方に突出した部分を嵌合部とし、パレットの外周面をなす支柱部の周壁内面には前記嵌合部の周壁内面よりもパレットの内側方向に突出する補強リブを設けたことを特徴とする請求項１記載の合成樹脂製パレット。
【請求項３】
前記屈曲部をクランク部としたことを特徴とする請求項２記載の合成樹脂製パレット。
【請求項４】
前記屈曲部を略くの字状部としたことを特徴とする請求項２記載の合成樹脂製パレット。
【請求項５】
前記嵌合部を少なくとも下部デッキボードの外周面を上方外側に傾斜する傾斜部とすることによって形成することを特徴とする請求項１記載の合成樹脂製パレット。
【請求項６】
前記支柱部の周壁内面に設けた補強リブは内面を垂直面とした補強リブまたは内側を傾斜面とした三角補強リブとしたことを特徴とする請求項１〜請求項５のいずれか１項に記載の合成樹脂製パレット。
【請求項７】
上部デッキボードの外周縁部上面に枠体を立設し、下部デッキボードの面積を上部デッキボードの面積よりも縮小することによってパレット同士を上下に積み重ねたとき、パレットの下部を下段パレットの前記枠体内にはめ込まれる嵌合部とした合成樹脂製パレットにおいて、パレットの下部外周縁部に切欠部を設けることによって屈曲部を形成し、前記屈曲部の下方に突出した部分をパレット同士が積み重ねられたとき、下段パレットの前記枠体内にはめ込まれる嵌合部とし、前記屈曲部の肉厚を屈曲部に連続する部分よりも厚肉としたことを特徴とする合成樹脂製パレット。
【発明の詳細な説明】
【０００１】
【発明の属する技術分野】
この発明は、荷物の保管、運搬の際に荷物が滑り落ちることがなく安定した状態で載置でき、堅牢な支柱を備えた合成樹脂製パレットに関する。
【０００２】
【従来の技術】
荷物の保管、運搬用の合成樹脂製パレットは、フォークリフトによる作業中や、輸送中において載置した荷物が滑り落ちることがなく、安定した状態で保持できなければならない。従来、載置した荷物が滑り落ちないようにするために、上部デッキボードの周縁に枠体を上方に向けて突設した合成樹脂製パレットが知られている。このような枠体を突設したパレットとして、例えば、実公平５−４４２８１号公報（以下、第１公知例という）、実開平６−７６０５４号公報（以下、第２公知例という）記載のパレットがある。
【０００３】
前記第１公知例のパレットは、上部デッキボードの上部外周縁に上面の面積を拡大する突出部を一体に形成するとともに、前記突出部の上端に枠体を立設し、さらに枠体の各コーナー部に周方向に沿って切欠部を形成したものである。前記構成により、載置した荷物は枠体によって滑り落ちるのが防止されるとともに、空の状態でパレット同士を積み重ねると上段のパレットは下段のパレットの枠体内にはめ込まれて安定した状態で積み重ねることが可能となる。このことにより、パレットは多段に積み重ねても安定し、崩れ落ちることがない。
【０００４】
一方、前記第２公知例のパレットは、上部デッキボードの外周端縁部より少し内側に引き込んだ位置に上方に向けて枠体を突設し、枠体の外側に補強リブを設け、前記補強リブの外面はパレットの側面部よりも外側に突出しないように形成し、パレットの下面部の外周部を全長にわたり段落してパレットの下面部を前記枠体内にはめ込まれる載置はめ込み部としたものである。前記構成により、第１公知例と同様に、枠体によって載置した荷物の滑り落ちを防止できるとともに、パレット同士の確実な積み重ねが可能となる。
【０００５】
【発明が解決しようとする課題】
しかしながら、第１公知例のパレットにあっては、枠体は上部デッキボードの面積を拡大する突出部の上部外周縁に立設されるために、突出部の分だけパレットとして全体の面積が大きくなり、それだけ保管、輸送の際に広い面積を必要とするという問題がある。また、前記第２公知例のパレットでは、空のパレットを相互に積み重ねられるように、パレット下面部を段落によって上面部よりも面積の小さい載置はめ込み部としたから、上方から荷重がかかると段落部は荷重を下方に伝えることができず破損するおそれがあり、耐荷重性に問題がある。
【０００６】
そこで、この発明は上記問題点に鑑みてなされたもので、その目的は、上部デッキボードの外周縁に枠体を立設して載置した荷物を滑り落ちないようにするとともに、前記枠体内に上段のパレットの下面部をはめ込み可能としたパレットであって、支柱部が破損や変形することがなく耐荷重性に優れた合成樹脂製パレットを提供するものである。
【０００７】
【課題を解決するための手段】
この発明は上記目的を達成するために次のような構成とした。即ち、この発明の請求項１に係る合成樹脂製パレットは、上部デッキボードの外周縁部上面に枠体を立設し、下部デッキボードの面積を上部デッキボードの面積よりも縮小することによってパレット同士を上下に積み重ねたとき、パレットの下部を下段パレットの前記枠体内にはめ込まれる嵌合部とした合成樹脂製パレットにおいて、下部デッキボードに補強リブを設けるとともに、パレットの外周面をなす支柱部の周壁内面には前記嵌合部の周壁内面よりもパレットの内側方向に突出する補強リブを設け、前記補強リブと下部デッキボードの補強リブとを連結したことを特徴とする。また、請求項２に係る合成樹脂製パレットは、パレットの下部外周縁部に切欠部を設けることによって屈曲部を形成し、前記屈曲部の下方に突出した部分を嵌合部とし、パレットの外周面をなす支柱部の周壁内面には前記嵌合部の周壁内面よりもパレットの内側方向に突出する補強リブを設けたことを特徴とする。また、請求項３に係る合成樹脂製パレットは、前記屈曲部をクランク部としたことを特徴とする。また、請求項４に係る合成樹脂製パレットは、前記屈曲部を略くの字状部としたことを特徴とする。また、請求項５に係る合成樹脂製パレットは、前記嵌合部を少なくとも下部デッキボードの外周面を上方外側に傾斜する傾斜部とすることによって形成することを特徴とする。また、請求項６に係る合成樹脂製パレットは、前記支柱部の周壁内面に設けた補強リブは内面を垂直面とした補強リブまたは内側を傾斜面とした三角補強リブとしたことを特徴とする。また、請求項７に係る合成樹脂製パレットは、上部デッキボードの外周縁部上面に枠体を立設し、下部デッキボードの面積を上部デッキボードの面積よりも縮小することによってパレット同士を上下に積み重ねたとき、パレットの下部を下段パレットの前記枠体内にはめ込まれる嵌合部とした合成樹脂製パレットにおいて、パレットの下部外周縁部に切欠部を設けることによって屈曲部を形成し、前記屈曲部の下方に突出した部分をパレット同士が積み重ねられたとき、下段パレットの前記枠体内にはめ込まれる嵌合部とし、前記屈曲部の肉厚を屈曲部に連続する部分よりも厚肉としたことを特徴とする。
【０００８】
【発明の実施の形態】
以下に、この発明を図示する実施形態について詳細に説明する。図１、図２に基づいてパレットの全体の構成について説明すると、合成樹脂製パレット１は、上部デッキボード１０と下部デッキボード１１との間に９本の中空状支柱部が設けられており、前記各支柱部は上下方向に分割された中央箇所で一体に溶着してなる。前記９本の中空状支柱部は、四隅の支柱部１３ａと、その４辺のほぼ中間部の支柱部１３ｂと、対角線上ほぼ中央部の支柱部１３ｃとからなる。前記下部デッキボード１１には、図２に示すように、各支柱部１３ａ〜１３ｃによって包囲された部分を正方形の空間部１５とされている。
【０００９】
そして、前記上下デッキボード１０、１１と四隅の支柱部１３ａ及び中間の支柱部１３ｂで囲まれた空隙をフォーク差込口１７とした四方差しパレットを形成している。上記パレットは予め支柱部を上下方向に分割して上部品と下部品に成形し、突き合わせ溶着して一体とすることによって各支柱部を中空構造に形成している。前記下部デッキボード１１の下面には、縦横に走る補強リブ１９が設けられている。前記補強リブ１９の構造は他に変更することは可能であり、下部デッキボード１１の構造について限定するものではない。上部デッキボードの構成についても特に限定するものではなく図示するのを省略したが、下面に補強リブを設ける公知の構造とすることができるのは勿論、下部デッキボードとともに滑りを防止するゴム製グロメットを取り付けてもよい。
【００１０】
前記上部デッキボード１０の外周縁部上面には、枠体２０が垂直に立設されている。前記枠体２０の外側面は四隅の支柱部１３ａ及び中間の支柱部１３ｂの外側面と同一垂直面とされている。図示するのを省略したが前記枠体２０の内側面および／または外側面には所定の間隔で補強リブを設けることができる。また、前記枠体２０は必ずしも全周に亘って連続したものでなくともよく、四隅部において周方向に切欠部を形成したものでもよい。パレットの下部は、パレット同士を積み重ねたとき上段のパレットの下部が下段のパレットの枠体２０内にはめ込まれるように、前記下部デッキボード１１の面積を上部デッキボード１０の面積よりも縮小して形成した嵌合部２１とされている。前記嵌合部２１は、垂直方向において前記枠体２０の内側面よりも内方に位置するとともに、枠体２０の高さよりも高く形成されている。
【００１１】
上記枠体２０の形成によって、パレットに載置された荷物は滑り落ちるのが防止され、安定的に支持することができる。また、パレット同士を積み重ねたとき、前記嵌合部２１が下段パレットの上記枠体２０内にはめ込まれることによって滑り落ちることがなく、安定した状態で段積みすることができる。
【００１２】
次に、この発明の特徴である前記嵌合部２１の形状と支柱部の補強構造について説明する。パレットでは荷重は全て支柱部で受けることになり、特に四方差しパレットにあっては耐荷重性の点で支柱部の構造は極めて重要である。そこで、支柱部の下部に切欠部（段落）を設けた場合には、パレットの荷重を受ける部分の約３分の１がこの切欠部となり、その補強が必要となる。図３及び図４は、この発明の第１実施形態を示し、前記嵌合部２１を、パレット下部の外周縁部に切欠２３を設けることによって下部デッキボード１１の面積を縮小するとともに、支柱部１３ａ、１３ｂの外側面下部に屈曲部であるクランク部２５を形成し、下方に突出した部分を嵌合部２１ａとしたものである。
【００１３】
前記切欠部２３の垂直面２３ａは枠体２０の内面よりも内側に位置するとともに、枠体２０の高さよりも高く、水平面２３ｂは枠体２０の上端よりも上方に位置するように形成されている。また、四隅の支柱部１３ａと中間の支柱部１３ｂのパレットの外周面をなす周壁の内面、即ち、支柱部１３ａ、１３ｂにおいてクランク部２５に位置する部分の周壁内面には、上下に達する垂直な複数の補強リブ２７が設けられている。前記補強リブ２７は、前記クランク部２５の垂直な内面２５ａと同じかそれよりもパレット内側に突出した状態で形成されている。
【００１４】
上記のように補強リブ２７をクランク部２５の垂直な内面２５ａと同じかそれよりも内側に突出した状態で形成することによって、支柱部にかかった荷重を前記補強リブ２７を介して直接下部デッキボード１１、即ち接地面に伝えることができる。従って、クランク部２５の形成によっても支柱部１３ａ、１３ｂの強度を減少させることがない。尚、パレットの内側に位置する支柱部の周壁内面には、従来と同様に突出量の小さい補強リブ２９を設ければよい。
【００１５】
図５は、四隅の支柱部１３ａと中間の支柱部１３ｂのクランク部２５の位置における補強構造の他の実施形態を示す。図５（イ）は、クランク部２５の変形を防止するための三角補強リブ３０を設けたものである。前記三角補強リブ３０は、内面が傾斜した補強リブであってクランク部２５の水平面及び垂直面に形成されている。三角補強リブ３０は、支柱部のクランク部２５を支持することにより、荷重に対して支柱部を補強することになる。三角補強リブ３０は、下部デッキボード１１の補強リブと連結してもよい。
【００１６】
また、図５（ロ）は、クランク部２５の変形を防止するためにクランク部２５の部分を屈曲部に連続する部分よりも厚肉とし、厚肉クランク部２５Ａとしたものである。このように、厚肉クランク部２５Ａに形成することによって強度が増大し、変形、破損を防止することができる。厚肉クランク部２５Ａとした場合には補強リブは省略することが可能であり、補強リブを設ける場合にもクランク部２５Ａの垂直な内面２５ａから突出することがなく突出量の小さな補強リブ２９を設ければよい。
【００１７】
上記実施形態のように、支柱部下端に切欠部２３を設けることによって下方に突出した部分を嵌合部２１ａとした場合には、フォークリフトによるパレットの整列作業が容易となる。即ち、フォークリフトのフォーク先端を切欠部２３に係止させることによりパレットを押して確実に移動させることができ、例えば、トラックの荷台への積み込み作業等を能率的に、しかも安全に行うことができる。
【００１８】
図６は、前記嵌合部２１の形状と支柱部の補強構造を示す第４及び第５の実施形態を示す。これらの実施形態では、前記嵌合部２１を、パレット下部の周縁部に切欠３１を設けることによって屈曲部として上部を傾斜させた略くの字状部３３を形成し、下方に突出した部分を嵌合部２１ｂとし、前記略くの字状部３３を垂直補強リブ２７または三角補強リブ３０により補強する構造としたものである。この実施形態においても、補強リブの構造は図３及び図５に示す実施形態の補強リブ構造と同様に形成することができる。即ち、図６（イ）は、補強リブ２７を略くの字状部３３の垂直な内面３３ａと同じかそれよりもパレット内側に突出した状態で形成した場合であり、図６（ロ）は、三角補強リブ３０を略くの字状部３３の傾斜面及び垂直面に形成されている。
【００１９】
図７は、さらに、第６及び第７の実施形態を示す。これらの実施形態では、前記嵌合部２１を、下部デッキボード１１の外周面を上方外側に傾斜する傾斜部３５ａとなし、四隅の支柱部１３ａ及び中間の支柱部１３ｂにおいては，パレットの外周面となる周壁部を前記下部デッキボードの傾斜部３５ａと連続した傾斜部３５ｂとして、前記傾斜部３５ａまたは傾斜部３５ａと傾斜部３５ｂの下端部を嵌合部２１ｃとしたものである。前記傾斜部３５ｂの内面に垂直補強リブ２７または三角補強リブ３０により補強する構造としている。
【００２０】
尚、前記実施形態においてはいずれも前記三角補強リブ３０の上端を支柱部の上端内面にまで延長してもよい。また、補強リブは、嵌合部２１の周壁内面と同一かそれよりもパレット内側方向にに突出する構造であれば適宜変更、変形することが可能であり、上記実施形態に限定されるものではない。また、嵌合部の角部のアールは、枠体内へのはめ込みまたは枠体内からの引き出しを容易にするために他の部分よりも大きく形成することが好ましい。
【００２１】
【発明の効果】
この発明に係る合成樹脂製パレットは、上部デッキボードの外周縁に垂直な枠体を立設したから、載置した荷物は滑り落ちるのが防止される。また、パレット下部には下部デッキボードの面積を縮小することによって上記枠体内にはめ込むことができる嵌合部を形成したから、パレット同士を段積みした場合にも上段のパレットがずれ落ちることがない。さらに、前記嵌合部が位置する支柱部のパレットの外面となる周壁には、嵌合部の内面と同一かそれよりも内側に突出する補強リブを設けたから、支柱部は補強され充分な耐荷重性を有することができる。
【図面の簡単な説明】
【図１】この発明にかかるパレットの正面図である。
【図２】同じく上部デッキボードの下面を省略した説明用底面図である。
【図３】四隅の支柱部における嵌合部と補強リブとの関係を示す拡大横断面図である。
【図４】同じく嵌合部と補強リブとの関係を示す拡大縦断面図である。
【図５】他の実施形態における補強構造を示す一部拡大縦断面図である。
【図６】他の実施形態における補強構造を示す一部拡大縦断面図である。
【図７】支柱部の外側の周壁を傾斜部とした実施形態の一部拡大縦断面図である。
【符号の説明】
１  合成樹脂製パレット
１０  上部デッキボード
１１  下部デッキボード
１３ａ〜１３ｃ  中空状支柱部
１５  空間部
１７  フォーク差込口
１９  補強リブ
２０  枠体
２１  嵌合部
２１ａ、２１ｂ、２１ｃ  嵌合部
２３  切欠部
２３ａ  垂直部
２３ｂ  水平面
２５  クランク部
２５Ａ  厚肉クランク部
２５ａ  クランク部の内面
２７  補強リブ
２９  補強リブ
３０  三角補強リブ
３１  切欠部
３３  略くの字状部
３３ａ  内面
３３ｂ  頂点
【図１】
0003971483.tif 000002
【図２】
0003971483.tif 000003
【図３】
0003971483.tif 000004
【図４】
0003971483.tif 000005
【図５】
0003971483.tif 000006
【図６】
0003971483.tif 000007
【図７】
0003971483.tif 000008